(57)【要約】【課題】吸収パッドがずれない吸収性物品を提供する。【解決手段】第１係合部３１を有する裏面シート４２を備えた吸収パッドＰと、第２係合部３０を有する吸収パッド保持体とからなり、第１係合部３１と第２係合部３０とを係合させることによって、吸収パッドＰを吸収パッド保持体に取り付けてなる。【選択図】      図８
2004261332.tif 000002
【特許請求の範囲】
【請求項１】
第１係合部を有する裏面シートを備えた吸収パッドと、
第２係合部を有する吸収パッド保持体とからなり、
前記第１係合部と前記第２係合部とを係合させることによって、前記吸収パッドを前記吸収パッド保持体に取り付けてなることを特徴とする、吸収性物品。
【請求項２】
前記吸収パッド保持体が、液透過性のトップシートと、液不透過性のバックシートと、その間に介在する吸収体とを備えることを特徴とする、請求項１に記載の吸収性物品。
【請求項３】
前記第１係合部がオス材であり、前記第２係合部がメス材であることを特徴とする、請求項１または２に記載の吸収性物品。
【請求項４】
前記第１係合部と前記第２係合部との係合力が、以下の条件を満たすことを特徴とする、請求項１ないし３のいずれかに記載の吸収性物品。
ＭＤ方向の９０度剥離強度：０．４９〜４．９Ｎ／２５ｍｍ
ＭＤ方向のせん断強度：４．９〜２９．４Ｎ／２５ｍｍ
【請求項５】
前記第１係合部と前記第２係合部との係合力が、連続剥離強度の強度低下を１０％未満とすることを特徴とする、請求項１ないし４のいずれかに記載の吸収性物品。
【請求項６】
前記第２係合部の腰度が５０〜２００ｍｍであることを特徴とする、請求項１ないし５のいずれかに記載の吸収性物品。
【請求項７】
前記第２係合部のＭＤ方向の摩擦係数が０．３〜５．０であることを特徴とする、請求項２ないし６のいずれかに記載の吸収性物品。
【請求項８】
前記第２係合部がメッシュ状の孔を複数有し、該孔の直径が０．２〜６．０ｍｍであり、前記トップシートにおける前記孔の密度が０．２〜５．０個／ｃｍ２であることを特徴とする、請求項２ないし７のいずれかに記載の吸収性物品。
【請求項９】
前記第２係合部に目視可能な取付位置表示を施すことを特徴とする、請求項１ないし８のいずれかに記載の吸収性物品。
【請求項１０】
吸収パッドの液不透過性の裏面シートに備える第１係合部と係合する第２係合部を備えることを特徴とする、吸収パッド保持体。
【発明の詳細な説明】
【０００１】
【発明の属する技術分野】
この発明は、裏面シートを備えた尿取りパッド、生理用ナプキンなどの吸収パッドをオムツカバー、紙おむつ、生理用ショーツなどの吸収パッド保持体に取り付けてなる吸収性物品および、吸収パッド保持体に関する。
【０００２】
【従来の技術】
従来、液透過性の不織布からなるトップシートと液不透過性のバックシートと、その間に介在する吸収体とを備えた吸収体パッド保持体としての展開型紙おむつは、特に大人用の展開型紙おむつにおいて、その１枚当たりのコストが高いことから、液透過性の表面シートと液不透過性の裏面シートと、その間に介在する吸収体とを備えた吸収パッドである尿取りパッドを展開型紙おむつのトップシート上に重ねて使用し、尿取りパッドで排泄物を吸収・保持した後、尿取りパッドのみを交換していた。この場合、展開型紙おむつは、尿取りパッドをトップシートに保持するためのものとして用いられる。
【０００３】
しかし、このような使用方法の場合、尿取りパッドを展開型紙おむつのトップシート上に固定しないと所望の位置からずれてしまい、排泄物が漏れて展開型紙おむつを汚してしまい、展開型紙おむつを頻繁に交換しなければならないという問題があった。
そこで、尿取りパッドの裏面シートの表面にオス材からなる係合部を取り付けて、その係合部を展開型紙おむつの不織布からなるトップシートに係合することによって尿取りパッドを展開型紙おむつの表面に取り付けていた（特許文献１など）。
【０００４】
【特許文献１】
特開平２００２−６４２号公報
【０００５】
【発明が解決しようとする課題】
しかし、このような尿取りパッドでは、オス材からなる係合部を展開型紙おむつの不織布からなるトップシートの表面に取り付けて保持していたため、尿取りパッドを何回か着脱しているうちに、トップシートが毛羽立って係合力が低下し、尿取りパッドがずれて、排泄物が漏れて展開型紙おむつを汚してしまうという問題があった。
そこで、この発明の目的は、吸収パッドがずれない吸収性物品を提供することにある。
【０００６】
【課題を解決するための手段】
このため、請求項１に記載の発明は、吸収性物品において、第１係合部を有する裏面シートを備えた吸収パッドと、
第２係合部を有する吸収パッド保持体とからなり、
前記第１係合部と前記第２係合部とを係合させることによって、前記吸収パッドを前記吸収パッド保持体に取り付けてなることを特徴とする。
【０００７】
したがって、吸収パッドがずれない吸収性物品を提供することができる。
【０００８】
請求項２に記載の発明は、請求項１に記載の吸収性物品において、前記吸収パッド保持体が、液透過性のトップシートと、液不透過性のバックシートと、その間に介在する吸収体とを備えることを特徴とする。
【０００９】
したがって、万一、吸収パッドから排泄物が漏れ出した場合にも、吸収パッド保持体の吸収体が吸収するので漏れない吸収性物品を提供することができる。
【００１０】
請求項３に記載の発明は、請求項１または２に記載の吸収性物品において、前記第１係合部がオス材であり、前記第２係合部がメス材であることを特徴とする。
【００１１】
したがって、容易に吸収パッドと吸収パッド保持体とを係合させて取り付けることができる。
【００１２】
請求項４に記載の発明は、請求項１ないし３のいずれかに記載の吸収性物品において、前記第１係合部と前記第２係合部との係合力が、以下の条件を満たすことを特徴とする。
ＭＤ方向の９０度剥離強度：０．４９〜４．９Ｎ／２５ｍｍ
ＭＤ方向のせん断強度：４．９〜２９．４Ｎ／２５ｍｍ
【００１３】
したがって、十分な係合力を保持し、吸収シートを表面に取り付けて一層吸収体パッドがずれない吸収性物品を提供することができるとともに、吸収パッドを吸収パッド保持体から容易に剥離することができる。
【００１４】
請求項５に記載の発明は、請求項１ないし４のいずれかに記載の吸収性物品において、前記第１係合部と前記第２係合部との係合力が、連続剥離強度の強度低下を１０％未満とすることを特徴とする。
【００１５】
したがって、吸収パッドを吸収パッド保持体から複数回着脱しても、所定の係合力を保持することができ、吸収体パッドが更に一層ずれない吸収性物品を提供することができる。
【００１６】
請求項６に記載の発明は、請求項１ないし５のいずれかに記載の吸収性物品において、前記第２係合部の腰度が５０〜２００ｍｍであることを特徴とする。
【００１７】
したがって、吸収パッド保持体を身体に装着したときに、第２係合部にゴワゴワ感がなく、容易に身体に追随するので、身体と吸収性物品との間の隙間を防ぐことができ、漏れない吸収性物品を提供することができるとともに、装着感がよい吸収性物品を提供することができる。
【００１８】
請求項７に記載の発明は、請求項２ないし６のいずれかに記載の吸収性物品において、前記第２係合部のＭＤ方向の摩擦係数が０．３〜５．０であることを特徴とする。
【００１９】
したがって、適度に滑らかなトップシートを有する吸収性物品を提供することができる。
【００２０】
請求項８に記載の発明は、請求項２ないし７のいずれかに記載の吸収性物品において、前記第２係合部がメッシュ状の孔を複数有し、該孔の直径が０．２〜６．０ｍｍであり、前記トップシートにおける前記孔の密度が０．２〜５．０個／ｃｍ２であることを特徴とする。
【００２１】
したがって、十分な吸収力を保持して係合しうる第２係合部を備える吸収性物品を提供することができる。
【００２２】
請求項９に記載の発明は、請求項１ないし８のいずれかに記載の吸収性物品において、前記第２係合部に目視可能な取付位置表示を施すことを特徴とする。
【００２３】
したがって、吸収パッドを吸収パッド保持体に容易に取り付けることができる。
【００２４】
請求項１０に記載の発明は、吸収パッド保持体において、吸収パッドの液不透過性の裏面シートに備える第１係合部と係合する第２係合部を備えることを特徴とする。
【００２５】
したがって、吸収パッドがずれない吸収パッド保持体を提供するができる。
【００２６】
【発明の実施の形態】
以下、図面を参照しつつ、この発明の実施の形態につき説明する。
は、この発明の吸収パッド保持体の一例としての展開型紙おむつの展開図である。展開型紙おむつは、メッシュ状の孔を複数有する不織布やフィルムなどを長方形に形成し、その長辺のほぼ中央部分にそれぞれ切り欠き４０を設けた液透過性のトップシート１１と、このトップシート１１と同一形状でポリエチレンなどからなる液不透過性のバックシート１２と、その間に介在する綿状パルプに高分子吸収体ポリマーを散在させた吸収体１３を備える。この吸収体１３は、表面を吸収用のティシュペーパー１８で覆われている。さらに吸収体１３は、トップシート１１側に位置する上層吸収体１４とバックシート１２側に位置する下層吸収体１５とからなる。
【００２７】
また、展開型紙おむつの前身頃１６と後身頃１９のそれぞれ左右両側には、前フラップ２１Ａ，２１Ｂ、後フラップ２２Ａ，２２Ｂを延出して、後フラップ２２Ａ，２２Ｂの端部には、ファスニングテープ２３をそれぞれ取り付けてなる。一方、トップシート１１の両側部には、不図示の立体ギャザーを長手方向であるＭＤ方向に沿って適宜配置する。
【００２８】
ところで、この発明のテープ型紙おむつのトップシート１１の表面には、メス材の第２係合部３０を有する。この第２係合部３０は、不織布などで構成され、メカニカルファスナーなどからなるオス材の後述する第１係合部との係合力は、ＭＤ方向の９０度剥離強度が０．４９〜４．９Ｎ／２５ｍｍ、かつＭＤ方向のせん断強度が４．９〜２９．４Ｎ／２５ｍｍ、さらに連続剥離強度試験により強度低下が１０％未満であることを満たすものである。また、第２係合部３０の腰度は、５０〜２００ｍｍであり、カトーテック社製のＫＥＳ−ＳＥ試験器によるＭＤ方向の摩擦係数は０．３〜５．０である。加えて、１０点法による吸収特性は、７点以上を保持することが好ましく、さらに、図２に示すように、メッシュ状の孔３０ａの直径Ｄが０．２〜６．０ｍｍであり、トップシート１１におけるその孔３０ａの密度が０．２〜５．０個／ｃｍ２である。
【００２９】
ここで、ＭＤ方向の９０度剥離強度の測定方法について説明する。
まず、第２係合部３０をＭＤ方向とＣＤ方向に沿って適宜、矩形に切り取って試験片Ｓ１とし、この試験片Ｓ１を予めテーブルＴに固定したステンレスパネル上に両面テープで貼り付けて、その両端をガムテープで固定する。
【００３０】
次に、図３（ａ），（ｂ）に示すように、係合部３０をＣＤ方向とＭＤ方向に沿って適宜、矩形に切り取り、その表面に、ＭＤ方向とＣＤ方向に沿って適宜、矩形に切り取ったオス材である第１係合部３１を貼り付けて試験片Ｓ２とする。さらに、図４に示すように、試験片Ｓ１上に、試験片Ｓ２の第１係合部３１を係合させるように、かつ第１係合部３１のＣＤ方向と試験片Ｓ１のＣＤ方向とが同一方向となるように配置した後、試験片Ｓ２の裏面Ｂ側から第１係合部３１の貼り付けてある部分を１９．６ＮのローラでＭＤ方向に１往復させて、試験片Ｓ１の第２係合部３０と試験片Ｓ２の第１係合部３１とをしっかり係合させる。
【００３１】
そして、９．８Ｎの分銅をヒモを介してクリップに取り付け、そのクリップを試験片Ｓ２の端部に取り付け、テーブルＴのコーナー等の直角部分を利用して、試験片Ｓ１と試験片Ｓ２との間に９．８Ｎのせん断力Ｆを１０秒間加える。
その後、図５に示すように、最終剥離角度θが９０度となるように治具Ｃをセットし、引張速度３００ｍｍ／ｍｉｎで試験片Ｓ２をせん断力Ｆと逆の方向から剥離する。そして、引張り試験ソフトウエアＳＨＩＫＩＢＵで算出された凹凸荷重平均値をＭＤ方向の９０度剥離強度とする。なお、上述の測定は室温にて行う。
【００３２】
次に、ＭＤ方向のせん断強度の測定方法について説明する。
まず、上述のＭＤ方向の９０度剥離強度の測定にて図３，４で形成した試験片Ｓ１，Ｓ２と同一のものを同様に係合させた後、１９．６ＮのローラでＭＤ方向に１往復させて、試験片Ｓ１の第２係合部３０と試験片Ｓ２の第１係合部３１とをしっかり係合させる。
次に、図６に示すように、引張試験器Ａに試験片Ｓ２の一端と試験片Ｓ３の一端を取り付けて固定し、引張速度３００ｍｍ／ｍｉｎでせん断方向Ｇに引張り、この引張強度の最大値をＭＤ方向のせん断強度とする。なお、この測定も室温にて行うものとする。
【００３３】
さらに、連続剥離強度の測定方法について説明する。
この連続剥離強度の測定方法は、オス材である第１係合部３１とメス材である第２係合部３０それぞれの同一の箇所にて、係合・剥離を繰り返し、最初の係合時の剥離強度Ｕ１と５回目の係合時の剥離強度Ｕ５を測定し、強度低下を〔（Ｕ１−Ｕ５）／Ｕ１〕×１００（％）として表す。
なお、剥離強度Ｕ１，剥離強度Ｕ５の測定方法は、上述したＭＤ方向の９０度剥離強度と同様であるので説明を省略する。
【００３４】
また、腰度の測定方法について説明する。
まず、試験片Ｓ３をＣＤ方向とＭＤ方向に沿って矩形に適宜切り取った後、図７に示すように試験片Ｓ３の後端部でスケールＥの後端を包み込むように配置する。次に、試験片Ｓ３の先端部の張出量が多くなるようにスケールＥを矢印の方向にずらし、試験片Ｓ３の先端部が下方に折れ曲がったところで、試験片Ｓ３の先端からスケールＢの先端までの距離Ｌを測り、腰度とする。なお、この測定も、室温にて行うものとする。
【００３５】
次に、１０点法による吸収特性の測定方法について説明する。
まず、大王製紙株式会社製のエリエールトイレットペーパーのシングル品を１０枚重ねにして、または、同社製エリエールキッチンペーパーの３カット分を重ねて２つ折りにして、その上にトップシート１１の断片を載置する。そのトップシート１１上に、直径２ｃｍの孔が１０箇所直列に並んで設けられた測定板を置き、その各孔に着色した人工尿を一滴ずつ滴下し、２秒以内に吸収した孔に対し、３分後、人工尿を一滴ずつ滴下する。そして、２秒以内に吸収した孔に対し、さらに、３分後、人工尿を一滴ずつ滴下し、２秒以内に吸収した孔の数をカウントし、この数を１０点法による吸収体特性値とする。なお、この測定は、室温にて行う。
【００３６】
このように構成された展開型紙おむつに吸収パッドとしての尿取りパッドを取り付けて使用するときは、まず、図８に示すように、展開型紙おむつを開く。次に、液不透過性の裏面シート４２の裏面にオス材の第１係合部３１を有する尿取りパッドＰの第１係合部３１と、紙おむつのトップシート１１の表面に設けられたメス材の第２係合部３０とを係合させて取り付けて、吸収性物品とする。
【００３７】
そして、寝た状態の使用者の臀部を尿取りパッドＰを取り付けた展開型紙おむつの略中央に後身頃１９に腰が当たるように載せ、両脚の付け根部分をそれぞれ切り欠き４０に載せる。さらに、前身頃１６を使用者の腹部に当てて後身頃１９の後フラップ２２Ａ，２２Ｂにあるファスニングテープ２３をバックシート１２の前身頃１６にそれぞれ係合させて、展開型紙おむつを使用者に装着する。
【００３８】
尿取りパッドＰの吸収体が一定量の排泄物を吸収したときは、尿取りパッドＰを交換する。
まず、バックシート１２の前身頃１６に係合しているファスニングテープ２３を剥離して、展開型紙おむつを開く。そして、尿取りパッドＰを展開型紙おむつから剥離して、新しい尿取りパッドＰの係合部材３１を展開型紙おむつのトップシート１１の表面にある第２係合部３０に取り付けた後、上述の手順で使用者に装着する。
【００３９】
なお、この例において、第２係合部３０にフレキソ印刷などによって、男性用、女性用などの目視可能な取付位置表示を施し、性別に応じて、尿取りパッドＰを取り付ける位置を変えるようにしてもよい。
また、第２係合部３０は、トップシート１１と一体に形成してもよいし、別体に形成してトップシート１１に貼り付けてもよい。
【００４０】
さらに上述の例では、第２係合部３０をメス材とし、第１係合部３１をオス材としたがこれに限定されるものではなく、第２係合部３０をオス材とし、第１係合部３１をメス材として両者を係合させるようにしてもよい。この場合、オス材である第２係合部３０は、直接肌に触れる場合もあるので、肌に触れても痛くない柔軟性のある材料で形成されることが望ましい。
【００４１】
加えて上述の例では、第２係合部３０をメス材とし、第１係合部３１をオス材として両者を係合させて尿取りパッドＰを展開型紙おむつに取り付けたが、この発明はこれに限定されるものではなく、第１係合部３１を粘着テープとし、第２係合部３０を多孔質フィルムまたはヒートエンボス加工した不織布として第１係合部３１を第２係合部３０に貼着して取り付けるようにしてもよい。
【００４２】
また、第１係合部３１または第２係合部３０をメカニカルホックとしてもよい。ここで、メカニカルホックとは、不織布などからなる一方の基材シートの上に多数の円弧状のメス材を形成するようにフィラメントを配し、他方の基材シート上に無数の突起状のオス材が配し、両者を当接させることによって、剥離自在に接着されるものをいう。
【００４３】
さらに、上述の例の第２係合部３０をポリエステル、ポリアミドまたはポリプロピレン製の織物、編物かたはトリコット生地の表面に完全にループが形成されたメス材で構成してもよい。
【００４４】
また、この発明の第１係合部３１または第２係合部３０に、例えば、「マジックテープ」（登録商標、クラレ社製）、「クイックロン」（登録商標、ＹＫＫ社製）、「マジクロス」（登録商標、カネボウベルタッチ社製）、「ＣＳ−２００」（商品名、３Ｍ社製）などの市販品を用いてもよい。
【００４５】
なお、上述の例では、吸収体１３は、トップシート１１側に位置する上層吸収体１４とバックシート１２側に位置する下層吸収体１５の２層構造であったが、これに限定されるものではなく、１層構造であってもよいし、３層以上の構造であってもよい。
【００４６】
また、上述の例では、尿取りパッドＰを展開型紙おむつに取り付けて使用する例について説明したが、この発明はこれに限定されるものではなく、展開型紙おむつのみで使用しても良い。即ち、展開型紙おむつの吸収体で排泄物を吸収して保持する吸収パッド保持体として使用することもできる。この場合、メス材である第２係合部３０は、使用者の肌に直接触れても痛くない程度の柔らかさであることが望ましい。
【００４７】
さらに、上述の例では、尿取りパッドＰを展開型紙おむつに取り付けて使用する例について説明したが、この発明はこれに限定されるものではなく、尿取りパッドＰをパンツ型紙おむつに取り付けて使用する例に適用してもよい。また、オムツカバーに取り付けて使用する例に適用してもよい。この場合、オムツカバーの使用面側である表面にオス材の第１係合部と係合するメス材の第２係合部を備える。
加えて、吸収パッドとしての生理用ナプキンを吸収パッド保持体としての生理用ショーツに取り付けて使用する例に適用してもよい。この場合、生理用ナプキンの裏面シートの裏側にオス材としての第１係合部を備え、生理用ショーツの使用面側である表面に第１係合部に係合する第２係合部を備える。このように、この発明は、吸収パッドを取り付けて保持する吸収パッド保持体に適用しうる。
【００４８】
【発明の効果】
以上、詳述したように、この発明によれば、吸収パッドがずれない吸収性物品を提供することができる。
【図面の簡単な説明】
【図１】この発明の吸収パッド保持体の一例としての展開型紙おむつの展開図である。
【図２】図１の紙おむつの係合部の拡大平面図である。
【図３】ＭＤ方向の９０度剥離強度を測定するための試験片の、（ａ）は平面図、（ｂ）は断面図である。
【図４】ＭＤ方向の９０度剥離強度を測定する様子を説明する説明図である。
【図５】ＭＤ方向の９０度剥離強度を測定する様子を説明する説明図である。
【図６】ＭＤ方向のせん断強度を測定する様子を説明する説明図である。
【図７】腰度を測定する様子を説明する説明図である。
【図８】吸収パッドとしての尿取りパッドを吸収パッド保持体としての展開型紙おむつに取り付けて吸収性物品として使用する様子を説明するための斜視図である。
【符号の説明】
１１    トップシート
１２    バックシート
１３    吸収体
１４    上層吸収体
１５    下層吸収体
１６    前身頃
１８    ティシュ
１９    後身頃
２１Ａ，２１Ｂ    前フラップ
２２Ａ，２２Ｂ    後フラップ
２３    ファスニングテープ
３０    第２係合部
３０ａ    孔
３１    第１係合部
４２    裏面シート
Ａ    引張試験器
Ｄ    直径
Ｆ    せん断力
Ｅ    スケール
Ｇ    せん断方向
Ｐ    尿取りパッド（吸収パッド）
Ｓ１，Ｓ２，Ｓ３    試験片
Ｔ    テーブル
θ    最終剥離角度
【図１】
2004261332.tif 000003
【図２】
2004261332.tif 000004
【図３】
2004261332.tif 000005
【図４】
2004261332.tif 000006
【図５】
2004261332.tif 000007
【図６】
2004261332.tif 000008
【図７】
2004261332.tif 000009
【図８】
2004261332.tif 000010